(57)【特許請求の範囲】
【請求項１】
小型情報端末を挿入する、シャッタを備えた挿入口と、
前記小型情報端末を収容するハウジングと、
前記ハウジング内に設けられ、前記小型情報端末をガイドするガイドレールと、
手動による前記小型情報端末の押し込みを規制するストッパと、
前記小型情報端末を正常位置まで自動搬送する搬送ローラと、
前記小型情報端末が前記正常位置まで自動搬送されたか否かを検知する検知センサと、
コントローラとを備えた車載固定構造であって、
前記コントローラは、
前記小型情報端末が前記ストッパに当接したことを契機として、前記小型情報端末を前記正常位置まで自動搬送する搬送制御部と、
前記小型情報端末が前記ストッパに当接したことを契機として、前記小型情報端末の両側面及び上面を中央に向けて抑え込むように、前記ガイドレールを制御するガイド制御部と、
前記検知センサによって前記小型情報端末が前記正常位置まで自動搬送されたことが検知された場合に、前記シャッタを閉鎖するシャッタ制御部と、
前記シャッタを閉鎖した後、前記小型情報端末のコネクタに向けて外部機器のコネクタを移動し、嵌合させることで前記小型情報端末と前記外部機器とを接続する接続制御部と
を具備する、スロットインタイプの車載固定構造。
【請求項２】
前記ガイドレールは、断面視略逆Ｌ字形状の１対のガイドによって構成されている、請求項１に記載のスロットインタイプの車載固定構造。
【請求項３】
前記接続制御部は、
前記小型情報端末と前記外部機器との接続を解除すべき指示を受け取った場合、前記外部機器のコネクタを前記小型情報端末から外し、
前記シャッタ制御部は、
前記外部機器のコネクタが前記小型情報端末から外された場合、前記シャッタを開放し、
前記搬送制御部は、
前記シャッタが開放された後、前記搬送ローラによって前記挿入口から前記小型情報端末を排出する、請求項１または２に記載のスロットインタイプの車載固定構造。
【請求項４】
前記接続制御部は、
前記小型情報端末と前記外部機器との接続に失敗した場合、エラーメッセージを出力し、
前記シャッタ制御部は、
前記外部機器のコネクタが前記小型情報端末から外された場合、前記シャッタを開放し、
前記搬送制御部は、
前記シャッタが開放された後、前記搬送ローラによって前記挿入口から前記小型情報端末を排出する、請求項１から３のいずれか一項に記載のスロットインタイプの車載固定構造。
【発明の詳細な説明】
【技術分野】
【０００１】
本発明は、車内に小型情報端末を固定するための車載固定構造に関する。
【背景技術】
【０００２】
近年、スティック型パソコン（ＰＣ）やカード型パソコン（ＰＣ）といった小型情報端末が注目を集めている。小型情報端末は、様々な用途が考えられており、例えば車のカーナビ装置などに接続することで高解像度な動画や音楽、ゲームなどを楽しむ、といったことが考えられる。
【０００３】
しかしながら、車に小型情報端末を設置するためには、振動対策などが必須となる。特に、小型情報端末と車内の電子機器（カーナビ装置など）を接続するコネクタ部分などにおいて、振動による接触不良や脱落などを防止する必要がある。
【０００４】
車内での振動を低減するために、例えば特許文献１には、過酷な環境下で使用される車載用の電子機器（ナビゲーション装置など）の函体内に、振動に弱いハードディスクドライブ（ＨＤＤ）ユニットを、着脱可能に取り付けるための構造であって、耐振性の余裕度を向上させた防振構造が開示されている。かかる防振構造においては、振動に弱いＨＤＤユニットを電子機器のホルダに装着する部分に、振動を減衰させる振動減衰手段（防振ゴムなど）を設け、ホルダを案内部材によって筐体内の収納位置に案内し、電気的な接続を行って、ＨＤＤユニットを電子機器の内部構成要素として電気的に動作させる。
【先行技術文献】
【特許文献】
【０００５】
【特許文献１】特開２００３−３１４６１３号公報
【発明の概要】
【発明が解決しようとする課題】
【０００６】
しかしながら、特許文献１の構成では、利用者等が自ら、ＨＤＤユニットを電子機器のホルダに着脱しなければならず、煩雑な作業が強いられるという問題がある。また、ＨＤＤユニットと電子機器との間に振動減衰手段を設けるだけでは、耐振性が十分でないという問題もある。
さらに、スティック型ＰＣやカード型ＰＣといった小型情報端末においては、車内の限られたスペースに可能な限りコンパクトに収容したいとの要望もある。
【０００７】
本発明は、以上説明した事情を鑑みてなされたものであり、十分な耐振性を有しながらも、車内の限られたスペースに小型情報端末を収容することが可能な車載固定構造を提供することを目的の一つとする。
【課題を解決するための手段】
【０００８】
本発明の一実施形態に係るスロットインタイプの車載固定構造は、小型情報端末を挿入する、シャッタを備えた挿入口と、小型情報端末を収容するハウジングと、ハウジング内に設けられ、小型情報端末をガイドするガイドレールと、手動による小型情報端末の押し込みを規制するストッパと、小型情報端末を正常位置まで自動搬送する搬送ローラと、小型情報端末が正常位置まで自動搬送されたか否かを検知する検知センサと、コントローラとを備えた車載固定構造であって、コントローラは、小型情報端末が前記ストッパに当接したことを契機として、小型情報端末を正常位置まで自動搬送する搬送制御部と、検知センサによって小型情報端末が正常位置まで自動搬送されたことが検知された場合に、シャッタを閉鎖するシャッタ制御部と、シャッタを閉鎖した後、小型情報端末のコネクタに向けて外部機器のコネクタを移動し、嵌合させることで小型情報端末と外部機器とを接続する接続制御部とを具備することを要旨とする。
【発明の効果】
【０００９】
本発明によれば、十分な耐振性を有しながらも、車内の限られたスペースに小型情報端末を収容することが可能な車載固定構造を提供することが可能となる。
【図面の簡単な説明】
【００１０】
【図１】本実施形態に係る車載固定構造の取付例を示した図である。
【図２】車載固定構造の要部を模式的に示した図である。
【図３】車載固定構造の要部構成を示す図である。
【図４】車載固定構造の要部構成を示す図である。
【図５】車載固定構造の要部構成を示す図である。
【図６】車載固定構造の要部構成を示す図である。
【図７】固定処理フローである。
【図８】解除処理フローである。
【図９】応用例に係るガイドレールの動作を説明するための説明図である。
【図１０】固定処理フローである。
【図１１】スティック型ＰＣを例示した図である。
【発明を実施するための形態】
【００１１】
以下、本発明の実施形態について図面を参照しつつ詳細に説明する。なお、以下の説明において同一の要素には同一の符号を付し、重複する説明を省略する。
【００１２】
Ａ．本実施形態
図１は、本実施形態に係る車載固定構造１０００の取付例を示した図であり、図２は車載固定構造１０００の要部を模式的に示した図である。本実施形態に係る車載固定構造１０００は、トレー（引き出し部分）がなく、挿入口１１０に小型情報端末２００を挿入するスロットイン方式を採用する。なお、以下の説明では、小型情報端末２００の例としてカード型ＰＣを想定するが、例えばスティック型ＰＣ（後述）のほか、タブレット端末やウェアラブル端末、超小型ＰＣなど、車内に持ち込み可能な様々な電子機器に適用可能である。
【００１３】
車載固定構造１０００は、図１に示すようにインストルメントパネルＩＰに設けられる。本実施形態では、グローボックスやエアバックモジュールを含めたダッシュボード全体をインストルメントパネルと呼ぶ。
【００１４】
車載固定構造１０００は、カード型ＰＣ２００を収容するハウジング１０５が設けられている（図２のＡ参照）。カード型ＰＣ２００は、例えば本体サイズがＷ；９４５ｍｍ、Ｄ；５５ｍｍ、Ｈ；５ｍｍで設計されており、ＣＰＵやＲＯＭ、ＲＡＭなどを備えたプロセッサ、各種メモリやストレージ、各種無線通信装置（Ｗｉ−Ｆｉや、Ｂｌｕｅｔｏｏｔｈ（登録商標）など）を備えて構成される。
【００１５】
車載固定構造１０００の挿入口１１０には、ハウジング１０５内へのカード型ＰＣ２００の挿入・取り出しを規制するシャッタ１２０が設けられている（図２のＢ参照）。なお、ハウジング１０５内にカード型ＰＣ２００が収容されると（図２のＣ参照）、シャッタ１２０は閉じられ、カード型ＰＣ２００がハウジング１０５内にロックされる（図２のＤ参照）。
【００１６】
ハウジング１０５内に収容されるカード型ＰＣ２００の後面部には、外部機器６００と接続するためのコネクタ（例えばＵＳＢ Ｔｙｐｅ−Ｃのコネクタ）Ｃ１が設けられている。外部機器６００には、カード型ＰＣ２００のコネクタＣ１と接続するためのコネクタＣ２が設けられている。カード型ＰＣ２００に接続される外部機器６００は、例えばカーナビゲーション装置や液晶パネルやモバイル端末といった電子機器である。
【００１７】
コントローラ１４０は、ＣＰＵ、ＲＯＭ、ＲＡＭなどを主要構成部品とするＭＣＵ（Micro Control Unit）などを備えており、ＲＯＭやＲＡＭに格納された各種プログラム等を実行することにより、車載固定構造１０００の各部を統括的に制御する。コントローラ１４０は、シャッタ１２０の開閉動作を制御するほか、カード型ＰＣ２００のコネクタＣ１に向けて、外部機器６００のコネクタＣ２を移動させることで、カード型ＰＣ２００と外部機器６００との物理的な接続を制御する等の役割を担う（図２のＤ参照；詳細は後述）。
【００１８】
図３〜図６は、車載固定構造１０００の要部構成を示す図である。各図におけるＡは、車載固定構造１０００の斜視図、各図におけるＢは、Ａに示す車載固定構造１０００を方向αから見た図、各図におけるＣは、Ａに示す車載固定構造１０００を方向βから見た図である。
ガイドレール１５０は、ハウジング１０５に収容されるカード型ＰＣ２００の側面及び上面の一部を覆うように設けられている。図３のＢに示すように、ガイドレール１５０は、断面からみて略逆Ｌ字形状の１対の金属製ガイド（左側の金属製ガイド及び右側の金属製ガイド）によって構成されている。
【００１９】
ガイドレール１５０は、コントローラ１４０による制御のもと、挿入口１１０を介してカード型ＰＣ２００をハウジング１０５内にガイドする。詳述すると、ガイドレール１５０は、挿入されたカード型ＰＣ２００の両側面Ｓｓを規制するとともに、カード型ＰＣ２００の上面Ｕｓを規制する（図４のＢ参照）。
【００２０】
ここで、カード型ＰＣ２００の側面Ｓｓだけでなく、上面Ｕｓも規制するのは次の理由による。すなわち、ガイドレール１５０を用いてカード型ＰＣ２００の側面Ｓｓを規制しただけでは、上下方向の振動等に弱くなってしまう。このため、本実施形態に係るガイドレール１５０では、１対の金属製ガイドのそれぞれに屋根部Ｒｆを設けることで、カード型ＰＣの側面Ｓｓのみならず、上面Ｕｓも規制する。なお、金属製ガイドの長さＬ１や屋根部Ｒｆの突出長さＬ２は、カード型ＰＣ２００を固定するのに最適な長さを選択すればよい（図４のＣ参照）。また、ガイドレール１５０の内側（すなわち、カード型ＰＣ２００とガイドレール１５０が当接する部分）に（耐熱）緩衝材などを設けてもよい。
【００２１】
ガイドレール１５０の両側面Ｓｓの略中央には、それぞれ搬送ローラ１７０が設けられている。搬送ローラ１７０は、コントローラ１４０による制御のもと、人手によって押し込まれたカード型ＰＣ２００を、外部機器６００との接続が可能となる位置；以下、「正常位置Ｐｃ」ともいう。）まで、さらに押し込む（自動搬送する）役割を担っている（図５のＣ参照）。詳述すると、カード型ＰＣ２００がハウジング１０５内のガイドレール１５０の両側面Ｓｓの内側には、カード型ＰＣ２００を検知するための検知ストッパＳｄが設けられている。コントローラ１４０は、カード型ＰＣ２００が検知ストッパＳｄに当接する位置まで押し込まれたことを検知すると（図４参照）、搬送ローラ１７０の回転を開始し、搬送ローラ１７０によるカード型ＰＣ２００の自動搬送を開始する（図５参照）。なお、本実施形態では、１対の検知ストッパＳｄが、ガイドレール１５０の略中央よりも外部機器６００寄りに設けられている場合を例示しているが、いかなる箇所に検知ストッパＳｄを設けるかは任意である。また、搬送ローラ１７０によるカード型ＰＣ２００の搬送量や搬送スピードなどは、検知ストッパＳｄの設置位置から正常位置Ｐｃまでの距離などに応じて決定すればよい。
【００２２】
カード検知センサ１６０は、カード型ＰＣ２００が正常位置Ｐｃに到達したか否かを検知するためのセンサであり、例えばカメラ（ＣＭＯＳカメラなど）や赤外線センサなどを利用することができる。カード検知センサ１６０は、カード型ＰＣ２００が正常位置Ｐｃに到達したことを検知すると（図６参照）、検知した旨の信号（以下、「検知信号」ともいう。）をコントローラ１４０に送る。コントローラ１４０は、カード検知センサ１６０から検知信号を受信すると、搬送ローラ１７０の回転を停止し、搬送ローラ１７０によるカード型ＰＣ２００の自動搬送を終了するとともに、挿入口１１０に設けられたシャッタ１２０を閉じることで、カード型ＰＣ２００の前端部Ｐｆが、挿入口１１０から飛び出ないように後方から固定する（図６参照）。本実施形態では、シャッタ１２０の裏面に固定材（緩衝材など）Ｍを設けているが、固定材を設けなくてもよい。
【００２３】
コントローラ１４０は、シャッタ１２０を閉じ、ハウジング１０５に収容されたカード型ＰＣ２００を固定すると、カード型ＰＣ２００の後面部に設けられたコネクタＣ１に向けて外部機器６００のコネクタＣ２を移動させることで、カード型ＰＣ２００と外部機器６００とを自動接続する。
【００２４】
以下、ユーザ等によって車内に持ち込まれたカード型ＰＣ２００が、外部機器６００に接続されるまでの流れについて、図４〜図７を参照しながら説明する。
図７は、コントローラ１４０によって実行される固定処理フローである。なお、カード型ＰＣ２００が車載固定構造１０００に挿入される前の初期状態において、シャッタ１２０は開いているものとする。
【００２５】
ユーザ等は、カード型ＰＣ２００を手動で挿入口１１０に挿入していく（図４参照）。コントローラ（搬送制御部）１４０は、挿入されたカード型ＰＣ２００が検知ストッパＳｄに当接する位置まで押し込まれたことを検知すると（ステップＳ１；図５参照）、搬送ローラ１７０の回転を開始し、搬送ローラ１７０によるカード型ＰＣ２００の自動搬送を開始する一方（ステップＳ２；図６参照）、カード検知センサ１６０は、カード型ＰＣ２００が正常位置Ｐｃ（すなわち、外部機器６００との接続が可能となる位置）に到達したか否かの検出を開始する（ステップＳ３）。コントローラ１４０は、カード検知センサ１６０から、カード型ＰＣが正常位置Ｐｃに到達した旨の検知信号を受信しない場合には（ステップＳ３；ＮＯ）、ステップＳ３の処理を繰り返し実行する。
【００２６】
その後、コントローラ（シャッタ制御部）１４０は、カード検知センサ１６０から、カード型ＰＣ２００が正常位置Ｐｃに到達した旨の検知信号を受信すると（ステップＳ３；ＹＥＳ）、搬送ローラ１７０の回転を停止し、搬送ローラ１７０によるカード型ＰＣ２００の自動搬送を終了する（ステップＳ４）。そして、コントローラ（シャッタ制御部）１４０は、挿入口１１０に設けられたシャッタ１２０を閉じることで（ステップＳ５）、カード型ＰＣ２００の前端部Ｐｆが、挿入口１１０から飛び出ないように後方から固定する（図６参照）。
【００２７】
コントローラ１４０（接続制御部）は、ハウジング１０５に収容されたカード型ＰＣ２００を固定すると、カード型ＰＣ２００の後面部に設けられたコネクタＣ１に向けて外部機器６００のコネクタＣ２を移動させることで、カード型ＰＣ２００と外部機器６００とを嵌合させ、コネクタ接続することを試みる（ステップＳ６）。コントローラ１４０は、カード型ＰＣ２００と外部機器６００のコネクタ接続に成功すると（ステップＳ６；ＹＥＳ）、以上説明した処理を終了する。
【００２８】
一方、コントローラ（接続制御部）１４０は、何らかの要因（例えば、カード型ＰＣ２００の向きが正しくない、表裏が逆である、カードの種類が異なるなど）によってカード型ＰＣ２００と外部機器６００のコネクタ接続に失敗すると（ステップＳ６；ＮＯ）、エラーランプを点滅する、あるいは音声によるエラーメッセージを出力する（ステップＳ７）。そして、コントローラ（シャッタ制御部、搬送制御部）１４０は、シャッタ１２０を開いた後（すなわち開放した後）、搬送ローラ１７０を逆回転させることで、カード型ＰＣ２００を挿入口１０から排出し、車載固定構造１０００を初期状態に戻したうえで（ステップＳ８）、ステップＳ１に戻る。ユーザは、エラーメッセージ等に従って、排出されたカード型ＰＣ２００を取り出し、カード型ＰＣ２００を正しい向き等にしたうえで挿入口１１０に入れ直す。コントローラ１４０は、挿入されたカード型ＰＣ２００が検知ストッパＳｄに当接する位置まで押し込まれたことを検知すると（ステップＳ１）、搬送ローラ１７０の回転を開始し、搬送ローラ１７０によるカード型ＰＣ２００の自動搬送を開始する（ステップＳ２）。なお、この後の動作については、上述した一連の処理と同様に説明することができるため、割愛する。
【００２９】
以上説明したように、本実施形態によれば、スロットインタイプの車載固定構造１０００を採用することで、車内の限られたスペースにカード型ＰＣ２００を収容することが可能となる。また、車載固定構造１０００に収容されたカード型ＰＣ２００は、屋根部Ｒｆを備えた断面視略逆Ｌ字形状のガイドレール１５０によって、側面及び上面が規制されるため、振動を抑制することが可能となる。さらに、カード型ＰＣ２００のコネクタＣ１に向けて、外部機器６００のコネクタＣ２を移動させることで、カード型ＰＣ２００と外部機器６００を確実に接続する。このため、コネクタ接続が不完全であったためにコネクタ外れなどが生じるといった問題を未然に防ぐことが可能となる。
【００３０】
上記実施形態では、カード型ＰＣ２００と外部機器６００とを接続する場合について説明したが、カード型ＰＣ２００と外部機器６００との接続を解除（リリース）する場合の動作についても同様に説明することができる。
【００３１】
図８は、コントローラ１４０によって実行される解除処理フローである。
コントローラ（接続制御部）１４０は、カード型ＰＣ２００と外部機器６００との接続をリリースすべきコマンドを受信すると（ステップＳ１１）、外部機器６００のコネクタＣ２をカード型ＰＣ２００から外す（ステップＳ１２）。
【００３２】
そして、コントローラ（シャッタ制御部、搬送制御部）１４０は、シャッタ１２０を開いた後、搬送ローラ１７０を逆回転させることで、カード型ＰＣ２００を挿入口１０から排出し、車載固定構造１０００を初期状態に戻したうえで（ステップＳ１３）、処理を終了する。なお、カード型ＰＣ２００と外部機器６００との接続をリリースすべきコマンドは、例えばＡＣＣ電源がＯＦＦされた場合や、ユーザによって所定の操作が行われた場合にコントローラ１４０に出力されるように構成すればよい。
【００３３】
また、上記実施形態では、カード型ＰＣ２００の上面Ｕｓの一部を覆う屋根部Ｒｆを備えた一対の金属製ガイドを例示したが、例えばカード型ＰＣ２００の上面Ｕｓの全体を覆う屋根部Ｒｆを備えた一対の金属製ガイドを設けてもよい。
【００３４】
また、カード型ＰＣ２００の両側面Ｓｓを規制する第１ガイドと、カード型ＰＣ２００の上面Ｕｓを規制する第２ガイドを別々に設ける構成としてもよい。
【００３５】
なお、カード型ＰＣ２００の両側面Ｓｓを規制する第１ガイドがあれば、振動を低減することが可能となるため、カード型ＰＣ２００の上面Ｕｓを規制する第２ガイドを省いてもよい。例えば、断面視略逆Ｌ字形状の１対の金属製ガイドを設ける代わりに、断面視略Ｉ字形状の１対の金属製ガイドを設けてもよい。
【００３６】
また、スロットインタイプの車載固定構造１０００を採用した場合には、何らかの理由（例えば異物混入など）により、ハウジング１０５内に収容したカード型ＰＣ２００が正常に取り出せない状況が生じ得る。このような状況に対応するべく、カード型ＰＣ２００の非常時取り出し機能を車載固定構造１０００に採用してもよい。具体的には、搬送ローラ１７０を手動で回転させることができる操作機構を車載固定構造１０００に設ける。ハウジング１０５内に収容したカード型ＰＣ２００が正常に取り出せない状況が生じた場合には、操作機構を利用して搬送ローラ１７０を逆回転させることで、ハウジング１０５内に収容されているカード型ＰＣ２００を強制的に排出させることが可能となる。
【００３７】
また、上記実施形態では、カード型ＰＣ２００が検知ストッパＳｄに当接する位置まで押し込まれたことを検知した場合に、搬送ローラ１７０による自動搬送を開始する構成としたが、検知ストッパＳｄを設けることなく、搬送ローラ１７０による自動搬送を開始するように構成してもよい。例えば、所定の位置までカード型ＰＣ２００が押し込まれたことを検知するセンサを設け、センサによって所定の位置までカード型ＰＣ２００が押し込まれたことが検知された場合に、搬送ローラ１７０による自動搬送を開始してもよい。
【００３８】
Ｂ．応用例
図９は、応用例に係るガイドレール１５０ａの動作を説明するための説明図である。
ガイドレール１５０ａは、コントローラ１４０による制御のもと、挿入口１１０に挿入されたカード型ＰＣ２００の両側面Ｓｓを左右方向から中央に向けて抑え込むとともに、カード型ＰＣ２００の上面Ｕｓを中央に向けて抑え込む（以下、「抑え込み動作」ともいう。）ことで、カード型ＰＣ２００の振動を抑制する。ガイドレール１５０ａは、例えば検知ストッパＳｄにカード型ＰＣ２００が当接したことを契機として、図９のＡに示す初期位置Ｐｓから中央に向けて移動することで、カード型ＰＣ２００の抑え込み動作を開始する（後述）。
【００３９】
以下、ユーザ等によって車内に持ち込まれたカード型ＰＣ２００が、外部機器６００に接続されるまでの流れについて、図９及び図１０を参照しながら説明する。
図１０は、応用例に係るコントローラ１４０によって実行される固定処理フローである。なお、図１０に示すステップのうち、図７に示すステップと対応するものについては、同一符号を付し、詳細な説明を省略する。
【００４０】
ユーザ等は、カード型ＰＣ２００を手動で挿入口１１０に挿入していく。コントローラ１４０は、挿入されたカード型ＰＣ２００が検知ストッパＳｄに当接する位置まで押し込まれたことを検知すると（ステップＳ１）、まず、ガイドレール１５０ａによるカード型ＰＣ２００の抑え込み動作を開始する（ステップＳ１ａ）。詳述すると、コントローラ（ガイド制御部）１４０は、ガイドレール１５０ａの両側面Ｓｓを左右方向から中央に向けて抑え込むとともに、カード型ＰＣ２００の上面Ｕｓを中央に向けて抑え込むような制御を行う。その後、コントローラ１４０は、搬送ローラ１７０の回転を開始し、搬送ローラ１７０によるカード型ＰＣ２００の自動搬送を開始する（ステップＳ２）。なお、搬送ローラ１７０によるカード型ＰＣ２００の自動搬送が開始された後の動作については、本実施形態と同様に説明することができるため、これ以上の説明は割愛する。
【００４１】
以上説明したように、変形例によれば、上記本実施形態の構成に加え、ガイドレール１５０ａによってカード型ＰＣ２００を左右及び上から抑え込む構成を採用することで、振動を抑制しながらも、カード型ＰＣ２００を正常位置に確実に固定することが可能となる。
【００４２】
上記変形例では、挿入されたカード型ＰＣ２００が検知ストッパＳｄに当接したことを契機として、ガイドレール１５０ａによるカード型ＰＣ２００の抑え込み動作を開始したが、カード型ＰＣ２００が検知ストッパＳｄに当接する前に、ガイドレール１５０ａによるカード型ＰＣ２００の抑え込み動作を開始してもよい。例えば、カード検知センサによりカード型ＰＣ２００の挿入が検知されたことを契機として、ガイドレール１５０ａによるカード型ＰＣ２００の抑え込み動作を開始すればよい。カード検知センサは、車載固定構造１０００に対するカード型ＰＣ２００の挿入を検知できるセンサであれば、いかなるセンサであってもよい。もっとも、カード検知センサとしてカメラを利用する場合には、カード型ＰＣ２００の挿入を検知するだけでなく、カード型ＰＣ２００が正しい向きで挿入されたか（すなわち、カード型ＰＣ２００の後面部が、外部機器のコネクタＣ２に対向するように載置されているか）、カード型ＰＣ２００の表裏が間違っていないか、さらにはカード型ＰＣ２００の種類が正しいか等を検知できる。なお、カード検知センサがこれらの間違いを検知した場合、コントローラ１４０は、エラーメッセージを報知する（例えば、音声メッセージを出力する、あるいはエラーランプを点滅するなど）ようにしてもよい。
【００４３】
Ｃ．その他
本発明は、上述した実施形態及び変形例に限定されるものではなく、本発明の要旨を逸脱しない範囲内において、他の様々な形で実施することができる。
【００４４】
また、本実施形態及び変形例では、図１に示すようなカード型ＰＣ２００を固定する場合について説明したが、図１１に示すようなスティック型ＰＣ２００を固定する場合にも同様に説明することができる。スティック型ＰＣ２００の後面部には、例えばＨＤＭＩ（登録商標）（High-Definition Multimedia Interface）に準拠したコネクタＣ１が設けられている。外部機器６００には、ＨＤＭＩに準拠したコネクタＣ２が設けられている。スティック型ＰＣ２００のコネクタＣ１に向けて外部機器６００のコネクタＣ２を移動し、スティック型ＰＣ２００と外部機器６００とを嵌合させることで、確実に接続することが可能となる。なお、上記例では、カード型ＰＣ２００やスティック型ＰＣ２００の後面部にコネクタＣ１が設けられる態様を例示したが、後面部以外にコネクタＣ１が設けられる態様であってもよい。
【００４５】
本明細書において上述した各処理におけるステップは、処理内容に矛盾を生じない範囲で任意に順番を変更し、または並列に実行することができる。
【００４６】
本明細書において説明した各処理を実施するプログラムは、記録媒体に記憶させてもよい。この記録媒体を用いれば、車載固定構造１０００を構成するコンピュータに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【００４７】
１０００…車載固定構造、２００…小型情報端末、６００…外部機器、１０５…ハウジング、１１０…挿入口、１２０…シャッタ、１４０…コントローラ、１５０，１５０ａ…ガイドレール、１６０…カード検知センサ、１７０…搬送ローラ、Ｃ１，Ｃ２…コネクタ、Ｓｄ…検知ストッパ、Ｓｓ…側面、Ｕｓ…上面、Ｍ…固定材、Ｐｆ…前端部。
【図１】
0006989365.tif 000002
【図２】
0006989365.tif 000003
【図３】
0006989365.tif 000004
【図４】
0006989365.tif 000005
【図５】
0006989365.tif 000006
【図６】
0006989365.tif 000007
【図７】
0006989365.tif 000008
【図８】
0006989365.tif 000009
【図９】
0006989365.tif 000010
【図１０】
0006989365.tif 000011
【図１１】
0006989365.tif 000012